【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
第１の基板と、
前記第１の基板と対向配置された第２の基板と、
前記第１の基板の前記第２の基板に対向する面上に形成された第１の電極と、
前記第２の基板の前記第１の基板に対向する面上に形成され、前記第１の電極と異なる面積に形成された第２の電極と、
前記第１の基板と前記第２の基板との間に充填され、分散媒と、該分散媒の誘電率とは異なる誘電率を有する微粒子とを含む分散系と、
前記第１の電極と前記第２の電極との間に交流電圧を印加する電源部と、を備えることを特徴とする表示装置。
【請求項２】
前記第１の電極と前記第２の電極は、それぞれの面積が、一方が小さく、他方が大きくなるように選択的に可変としたことを特徴とする請求項１に記載の表示装置。
【請求項３】
互いに対向する前記第１、第２の基板にそれぞれ配置された前記第１の電極と前記第２の電極は、それぞれ複数に分割され、前記第１の電極と前記第２の電極ごとに、それぞれ選択的に交流電圧が印加される複数の分割電極からなり、前記第１の電極と前記第２の電極のうちの一方の電極の１つの分割電極が、対向する他方の電極の複数の分割電極を合計した面積より小さい面積に形成されていることを特徴とする請求項１又は２に記載の表示装置。
【請求項４】
互いに対向する前記第１、第２の基板にそれぞれ配置された前記第１の電極と前記第２の電極は、それぞれ複数に分割された複数の分割電極からなり、前記第１の電極と前記第２の電極のうちの一方の電極の１つの分割電極が、対向する他方の電極の複数の分割電極を合計した面積より小さい面積に形成され、
前記第１の電極と前記第２の電極ごとに、複数の分割電極のうちの１つを選択し、選択された第１の電極の分割電極と対向する第２の電極の複数の分割電極との間と、選択された第２の電極の分割電極と対向する第１の電極の複数の分割電極との間とに、選択的に交流電圧を印加する制御部をさらに備えることを特徴とする請求項１又は２に記載の表示装置。
【請求項５】
前記第１、第２の電極と前記分散系との間にそれぞれ前記第１、第２の電極の表面に沿って移動可能に設けられ、電場を遮蔽するためのシャッタと、
前記シャッタを移動させ、前記分散系に電場を印加するための有効面積が、前記第１、第２の電極で選択的に変化するように制御する制御部と、をさらに備えることを特徴とする請求項１又は２に記載の表示装置。
【請求項６】
前記電源部は、ＣＭ（Clausius-Mossotti）因子の実数部の値が０となる交差周波数よりも低い周波数と、前記交差周波数よりも高い周波数の交流電圧を発生し、前記第１の電極と前記第２の電極との間に選択的に印加することを特徴とする請求項１〜５の何れか一項に記載の表示装置。
【請求項７】
前記電源部は、ＣＭ因子の実数部の値が０となる交差周波数よりも低い周波数の交流電圧を発生する低周波交流電源と、前記交差周波数よりも高い周波数の交流電圧を発生する高周波交流電源とを備え、
前記低周波交流電源が発生する低周波交流電圧と、前記高周波交流電源が発生する高周波電圧とを、前記第１の電極と前記第２の電極との間に選択的に印加するように前記電源部からの交流電圧の供給を制御する制御部をさらに備えることを特徴とする請求項１〜５の何れか一項に記載の表示装置。
【請求項８】
互いに対向する前記第１、第２の基板にそれぞれ配置された前記第１の電極と前記第２の電極は、それぞれ複数に分割された複数の分割電極からなり、前記第１の電極と前記第２の電極のうちの一方の電極の１つの分割電極が、対向する他方の電極の複数の分割電極を合計した面積より小さい面積に形成され、
前記電源部は、ＣＭ因子の実数部の値が０となる交差周波数よりも低い周波数の交流電圧を発生する低周波交流電源と、前記交差周波数よりも高い周波数の交流電圧を発生する高周波交流電源とを備え、
前記第１の電極と前記第２の電極ごとに、複数の分割電極のうちの１つを選択し、前記低周波交流電源が発生する低周波交流電圧と、前記高周波交流電源が発生する高周波電圧とを、選択された前記第１の電極の分割電極と対向する前記第２の電極の複数の分割電極との間と、選択された前記第２の電極の分割電極と対向する前記第１の電極の複数の分割電極との間とに、選択的に交流電圧を印加するように前記電源部からの交流電圧の供給を制御する制御部をさらに備えることを特徴とする請求項１〜５の何れか一項に記載の表示装置。
【手続補正２】
【補正対象書類名】明細書
【補正対象項目名】００１３
【補正方法】変更
【補正の内容】
【００１３】
前記第１の電極と前記第２の電極は、それぞれの面積が、一方が小さく、他方が大きくなるように選択的に可変としたことを特徴とすることとしてもよい。
【手続補正３】
【補正対象書類名】明細書
【補正対象項目名】００１５
【補正方法】変更
【補正の内容】
【００１５】
互いに対向する前記第１、第２の基板にそれぞれ配置された前記第１の電極と前記第２の電極は、それぞれ複数に分割された複数の分割電極からなり、前記第１の電極と前記第２の電極のうちの一方の電極の１つの分割電極が、対向する他方の電極の複数の分割電極を合計した面積より小さい面積に形成され、
前記第１の電極と前記第２の電極ごとに、複数の分割電極のうちの１つを選択し、選択された第１の電極の分割電極と対向する第２の電極の複数の分割電極との間と、選択された第２の電極の分割電極と対向する第１の電極の複数の分割電極との間とに、選択的に交流電圧を印加する制御部をさらに備えることを特徴とすることとしてもよい。
【手続補正４】
【補正対象書類名】明細書
【補正対象項目名】００１６
【補正方法】変更
【補正の内容】
【００１６】
前記第１、第２の電極と前記分散系との間にそれぞれ前記第１、第２の電極の表面に沿って移動可能に設けられ、電場を遮蔽するためのシャッタと、
前記シャッタを移動させ、前記分散系に電場を印加するための有効面積が、前記第１、第２の電極で選択的に変化するように制御する制御部と、をさらに備えることを特徴とすることとしてもよい。
【手続補正５】
【補正対象書類名】明細書
【補正対象項目名】００１７
【補正方法】変更
【補正の内容】
【００１７】
前記電源部は、ＣＭ因子の実数部の値が０となる交差周波数よりも低い周波数と、前記交差周波数よりも高い周波数の交流電圧を発生し、前記第１の電極と前記第２の電極との間に選択的に印加することを特徴とすることとしてもよい。
【手続補正６】
【補正対象書類名】明細書
【補正対象項目名】００１８
【補正方法】変更
【補正の内容】
【００１８】
前記電源部は、ＣＭ因子の実数部の値が０となる交差周波数よりも低い周波数の交流電圧を発生する低周波交流電源と、前記交差周波数よりも高い周波数の交流電圧を発生する高周波交流電源とを備え、
前記低周波交流電源が発生する低周波交流電圧と、前記高周波交流電源が発生する高周波電圧とを、前記第１の電極と前記第２の電極との間に選択的に印加するように前記電源部からの交流電圧の供給を制御する制御部をさらに備えることを特徴とすることとしてもよい。
【手続補正７】
【補正対象書類名】明細書
【補正対象項目名】００１９
【補正方法】変更
【補正の内容】
【００１９】
互いに対向する前記第１、第２の基板にそれぞれ配置された前記第１の電極と前記第２の電極は、それぞれ複数に分割された複数の分割電極からなり、前記第１の電極と前記第２の電極のうちの一方の電極の１つの分割電極が、対向する他方の電極の複数の分割電極を合計した面積より小さい面積に形成され、
前記電源部は、ＣＭ因子の実数部の値が０となる交差周波数よりも低い周波数の交流電圧を発生する低周波交流電源と、前記交差周波数よりも高い周波数の交流電圧を発生する高周波交流電源とを備え、
前記第１の電極と前記第２の電極ごとに、複数の分割電極のうちの１つを選択し、前記低周波交流電源が発生する低周波交流電圧と、前記高周波交流電源が発生する高周波電圧とを、選択された前記第１の電極の分割電極と対向する前記第２の電極の複数の分割電極との間と、選択された前記第２の電極の分割電極と対向する前記第１の電極の複数の分割電極との間とに、選択的に交流電圧を印加するように前記電源部からの交流電圧の供給を制御する制御部をさらに備えることを特徴とすることとしてもよい。
【手続補正８】
【補正対象書類名】明細書
【補正対象項目名】００５１
【補正方法】変更
【補正の内容】
【００５１】
また、回路部２０は、ＣＭ因子の実数部の値が０となる交差周波数ｆ0よりも低い周波数ｆ２と、交差周波数ｆ0よりも高い周波数ｆ１の交流電圧を発生し、制御電極２と共通電極４との間に選択的に印加するようにしたので、２つの表示状態（黒と白）を選択的に表示させることができる。
【手続補正９】
【補正対象書類名】明細書
【補正対象項目名】００５２
【補正方法】変更
【補正の内容】
【００５２】
この場合、回路部２０は、前記ＣＭ因子の実数部の値が０となる交差周波数ｆ0よりも低い周波数ｆ２の交流電圧を発生する低周波の交流電源１２と、前記交差周波数ｆ0よりも高い周波数ｆ１の交流電圧を発生する高周波の交流電源１１とを備え、前記低周波の交流電源１２が発生する低周波交流電圧と、前記高周波１１の交流電源が発生する高周波電圧とを、制御電極２と共通電極４との間に選択的に印加するように前記回路部２０からの交流電圧の供給を制御する制御部３０をさらに備えることが好ましく、この構成により、２つの表示状態（黒と白）の表示、すなわち２階調の表示を行うことができる。
【手続補正１０】
【補正対象書類名】明細書
【補正対象項目名】００５９
【補正方法】変更
【補正の内容】
【００５９】
制御部３０は、回路部２０ａのスイッチ部２１、２２における各スイッチ２１ａ〜２１ｃ、２２ａ〜２２ｃのオンオフを制御して、前記複数の分割透明電極４ａ、４ｂ、４ｃと、分割制御電極２ａ、２ｂ、２ｃのうちの１つを前記透明電極４と制御電極２ごとに選択して、選択された透明電極４の分割透明電極４ｂと対向する制御電極２の複数の分割制御電極２ａ〜２ｃとの間と、選択された制御電極２の分割制御電極２ｂと対向する透明電極４の複数の分割透明電極４ａ〜４ｃとの間とに、選択的に交流電圧を印加する。
【手続補正１１】
【補正対象書類名】明細書
【補正対象項目名】００６８
【補正方法】変更
【補正の内容】
【００６８】
上述したように、この実施形態の表示装置１０１は、前記透明電極４と前記制御電極２とが、それぞれの面積が、一方が小さく、他方が大きくなるように選択的に可変としているため、１つの交流電圧によって白、黒の２値の表示を行うことができる。
【手続補正１２】
【補正対象書類名】明細書
【補正対象項目名】００７０
【補正方法】変更
【補正の内容】
【００７０】
また、互いに対向する基板にそれぞれ配置された前記透明電極４と前記制御電極２は、それぞれ複数に分割された複数の分割透明電極４ａ、４ｂ、４ｃと、分割制御電極２ａ、２ｂ、２ｃからなり、前記透明電極４と前記制御電極２のうちの一方の電極の１つの分割電極が、対向する他方の電極の複数の分割電極を合計した面積より小さい面積に形成され、前記透明電極４と前記制御電極２ごとに、前記分割透明電極４ａ、４ｂ、４ｃと、前記分割制御電極２ａ、２ｂ、２ｃのうちの１つを選択し、選択された透明電極４の分割透明電極４ｂと対向する制御電極２の複数の分割制御電極２ａ〜２ｃとの間と、選択された制御電極２の分割制御電極２ｂと対向する透明電極４の複数の分割透明電極４ａ〜４ｃとの間とに、選択的に交流電圧を印加する制御部をさらに備えることによって、１つの交流電圧によって白、黒の２値の表示を行うことができる。
【手続補正１３】
【補正対象書類名】明細書
【補正対象項目名】００７３
【補正方法】変更
【補正の内容】
【００７３】
回路部２０ｂは、上記実施形態２に係る回路部２０ａに示したスイッチ部２１と、スイッチ部２２と、高周波交流電源１１に加えて、低周波交流電源１２と、スイッチ１３、１４とからなるスイッチ部２３とがさらに設けられている。すなわち、ＣＭ因子の実数部の値が０となる交差周波数ｆ０よりも低い周波数の交流電圧ｆ２を発生する低周波交流電源１２と、前記交差周波数ｆ０よりも高い周波数の交流電圧ｆ１を発生する高周波交流電源１１とにより電源部が構成されている。これらのスイッチ１３、１４は、制御部３０によってオンオフが制御され、前記低周波交流電圧ｆ２と、高周波電圧ｆ１とを、前記透明電極４と前記制御電極２との間に選択的に印加する。
【手続補正１４】
【補正対象書類名】明細書
【補正対象項目名】００７６
【補正方法】変更
【補正の内容】
【００７６】
上述したように、本実施形態に係る表示装置１０２は、互いに対向する基板にそれぞれ配置された前記透明電極４と制御電極２が、それぞれ複数に分割された複数の分割透明電極４ａ、４ｂ、４ｃと、分割制御電極２ａ、２ｂ、２ｃからなり、前記透明電極４と前記制御電極２のうちの一方の電極の１つの分割電極が、対向する他方の電極の複数の分割電極を合計した面積より小さい面積に形成され、回路部２０ｂは、ＣＭ因子の実数部の値が０となる交差周波数ｆ０よりも低い周波数の交流電圧ｆ２を発生する低周波交流電源１２と、前記交差周波数ｆ０よりも高い周波数の交流電圧ｆ１を発生する高周波交流電源１１と、を備え、前記透明電極４と制御電極２ごとに、複数の分割電極のうちの１つを選択して、前記低周波交流電源１２が発生する低周波交流電圧ｆ２と、前記高周波交流電源１１が発生する高周波電圧ｆ１とを、前記透明電極４と前記制御電極２の前記選択された分割電極へ選択的に印加するように前記回路部２０ｂからの交流電圧の供給を制御する制御部３０をさらに備えているので、白色表示と黒色表示、及び白色表示と黒色表示との間の諧調を持った中間調の表示を行うことができる。
【手続補正１５】
【補正対象書類名】明細書
【補正対象項目名】００８３
【補正方法】変更
【補正の内容】
【００８３】
また、上記実施形態１、３、４によれば、出力周波数がそれぞれ異なる複数の交流電源１１、１２が設けられ、制御部３０は、制御電極２、２’、２ａ〜２ｃ、透明電極４、４ａ〜４ｃに異なる周波数の交流電源を選択的に印加するようにしたので、良好な表示特性が得られるようになる。